(57)【特許請求の範囲】
【請求項１】
視聴覚設備が配置された複数の視聴覚ブースに利用者を割り当てる視聴覚ブース割り当て装置であって、
当日の視聴覚ブースの割り当て開始位置を登録する割り当て開始位置登録手段と、
割り当て開始位置の視聴覚ブースから順次、視聴覚ブースを割り当てる際に、いくつかの視聴覚ブースを飛ばして視聴覚ブースを割り当てるための飛ばし個数を設定する飛ばし個数設定手段と、
利用者の視聴覚ブースの割り当て要求があった場合、当日の視聴覚ブースの割り当て開始位置の視聴覚ブースから順次、視聴覚ブースを割り当てる際、設定された視聴覚ブースの飛ばし個数に基づいてその飛ばし個数分飛ばして視聴覚ブースを割り当てる視聴覚ブース割り当て手段と、
割り当てられた視聴覚ブースの位置を報知する視聴覚ブース位置報知手段とを有することを特徴とする視聴覚ブース割り当て装置。
【請求項２】
請求項１に記載の視聴覚ブース割り当て装置において、当日の最終に割り当てられた視聴覚ブースの割り当て位置を登録する最終割り当て位置登録手段を有し、
割り当て開始位置登録手段は、当日から日にちが替わった場合、最終割り当て位置の視聴覚ブースから、設定された飛ばし個数分飛ばした視聴覚ブースをその日にちが替わった当日の割り当て開始位置として登録することを特徴とする視聴覚ブース割り当て装置。
【発明の詳細な説明】
【０００１】
【発明の属する技術分野】
本発明は、視聴覚ブース割り当て装置に係り、詳しくは、視聴覚設備が配置された複数の視聴覚ブースに利用者を割り当てることができる視聴覚ブース割り当て装置に関するものである。
【０００２】
【従来の技術】
従来、施設割当装置については、例えば特開平１０−１５４１８９号公報で報告されたものが挙げられる。この従来の施設割当装置では、各施設の利用回数を管理し、複数用意される施設の中から施設の割り当て要求があると、利用回数の少ない施設を優先的に割り当てていく構成を取ることにより、各施設の利用回数を平均化して、各施設の痛み具合の均一化を図ることができる。
【０００３】
図３は従来の視聴覚ブースの割当方法を説明する図である。図３において、１０１は複数のＶＴＲ装置であり、１０２は各ＶＴＲ装置１０１に対応するように設けられた視聴覚ブースである。ＶＴＲ装置１０１と視聴覚ブース１０２は、１対１に対応して設けられている。視聴覚ブース１０２では、ＶＴＲ装置１０１からの音楽／映像などを利用者が視聴覚できるようになっている。
【０００４】
従来、視聴覚ブース１０２の利用者への割り当ては、視聴覚ブース１０２に番号を振っている場合、管理者が人為的に、小さい順から順次、利用していない空いている視聴覚ブース１０２を探して、利用者に割り当てたり、単に、割り当て開始位置の視聴覚ブース１０２から順次、利用していない空いている視聴覚ブース１０２を管理者が人為的に探して、利用者に割り当てたりする方法を取っていた。
【０００５】
例えば、１日目に３人の利用者があった場合は、１人目の利用者は、割り当て開始位置の１番目の視聴覚ブース１０２に割り当て、２人目の利用者は、次の２番目の視聴覚ブース１０２に割り当て、３人目の利用者は、次の３番目の視聴覚ブース１０２に割り当てる。
【０００６】
次に、２日目に４人の利用者があった場合は、１人目の利用者は、１日目と同様、割り当て開始位置の１番目の視聴覚ブース１０２に割り当て、２人目の利用者は、次の２番目の視聴覚ブース１０２に割り当て、３人目の利用者は、次の３番目の視聴覚ブース１０２に割り当てる。そして、４人目の利用者は、次の４番目の視聴覚ブース１０２に割り当てる。
【０００７】
次に、３日目に２人の利用者があった場合は、１人目の利用者は、１日目、２日目と同様、割り当て開始位置の１番目の視聴覚ブース１０２に割り当て、２人目の利用者は、次の２番目の視聴覚ブース１０２に割り当てる。なお、６人目の利用者がある場合は、単純に割り当て開始位置の１番目の視聴覚ブース１０２に割り当てる。
【０００８】
【発明が解決しようとする課題】
しかしながら、上記したような特開平１０−５４１８９号公報で報告された従来の施設割当装置では、各施設の利用回数を平均化して、各施設の痛み具合の均一化を図るために、複数用意される施設の中から施設の割り当て要求があると、利用回数の少ない施設を優先的に割り当てていく構成を取っており、利用回数のみを考慮していたため、動作時間によって機械系の劣化が生じるような場合には対応することができなかった。
【０００９】
また、この従来の施設割当装置では、近接している視聴覚ブースが複数ある場合に、各利用者が気にならないように離間した視聴覚ブースを選択して利用させるような設定を行うことができなかった。
【００１０】
次に、上記したような割り当て開始位置を決めて利用者に視聴覚ブース１０２を割り当てる従来の視聴覚ブース１０２の割り当て方法では、利用者に視聴覚ブース１０２を割り当てる際、割り当て開始位置を決めていたため、日にちが変わった際、その都度、同じ割り当て開始位置の視聴覚ブース１０２から利用者に割り当てられるため、割り当て頻度の高い視聴覚ブース１０２ほど、機器疲労は激しくなり、装置全体での信頼性が低下することがあった。
【００１１】
また、５番目の視聴覚ブース１０２を超えるような割り当てがあった場合（例えば６番目）も上記と同様に、その都度、同じ割り当て開始位置の視聴覚ブース１０２から利用者に割り当てられるため、割り当て頻度の高い視聴覚ブース１０２ほど、機器疲労は激しくなり、装置全体での信頼性が低下することがあった。図３の従来例では、割り当て開始位置として、１番目の視聴覚ブース１０２から順次割り当てるので、１番目のＶＴＲ装置１０１、２番目のＶＴＲ装置１０１、３番目のＶＴＲ装置１０１の順で機器疲労が激しくなる。
【００１２】
また、この従来の視聴覚ブース１０２の割り当て方法では、上記従来の施設割当装置における割り当てと同様、近接している視聴覚ブース１０２が複数ある場合に、各利用者が気にならないように離間した視聴覚ブース１０２を選択して利用させるような設定を行うことができなかった。
【００１３】
そこで、本発明は、上記のような課題を解消するためになされたもので、視聴覚ブースを利用者に割り当てる際、動作時間による機械系の劣化が生じるような場合に対応することができるとともに、特定の視聴覚ブースの機器疲労を低減して装置全体での信頼性を向上させることがき、しかも、各利用者が気にならないように利用者に視聴覚ブースを割り当てることができる視聴覚ブース割り当て装置を提供することを目的とする。
【００１４】
【課題を解決するための手段】
本発明は、視聴覚設備が配置された複数の視聴覚ブースに利用者を割り当てる視聴覚ブース割り当て装置であって、当日の視聴覚ブースの割り当て開始位置を登録する割り当て開始位置登録手段と、割り当て開始位置の視聴覚ブースから順次、視聴覚ブースを割り当てる際に、いくつかの視聴覚ブースを飛ばして視聴覚ブースを割り当てるための飛ばし個数を設定する飛ばし個数設定手段と、利用者の視聴覚ブースの割り当て要求があった場合、当日の視聴覚ブースの割り当て開始位置の視聴覚ブースから順次、視聴覚ブースを割り当てる際、設定された視聴覚ブースの飛ばし個数に基づいてその飛ばし個数分飛ばして視聴覚ブースを割り当てる視聴覚ブース割り当て手段と、割り当てられた視聴覚ブースの位置を報知する視聴覚ブース位置報知手段とを有するものである。
【００１５】
また、視聴覚ブース割り当て装置においては、当日の最終に割り当てられた視聴覚ブースの割り当て位置を登録する最終割り当て位置登録手段を有し、割り当て開始位置登録手段により、当日から日にちが替わった場合、最終割り当て位置の視聴覚ブースから、設定された飛ばし個数分飛ばした視聴覚ブースをその日にちが替わった当日の割り当て開始位置として登録するものである。
【００１６】
【発明の実施の形態】
以下に、本発明の実施の形態を図面を参照して説明する。
実施の形態１.
図１は本発明に係る実施の形態１の視聴覚ブース割り当て装置と視聴覚ブースを組み合わせたシステム構成を示すブロック図である。図１において、１は視聴覚ブース割り当て指示装置２と視聴覚ブース最適配置装置３とから構成される視聴覚ブース割り当て装置であり、４ａ〜４ｇは各ＶＴＲ装置５ａ〜５ｇが配置された複数の視聴覚ブースである。例えば、視聴覚ブース４ａには、ＶＴＲ装置５ａが配置され、視聴覚ブース４ｂには、ＶＴＲ装置５ｂが配置される。
【００１７】
次に、図２は図１に示す視聴覚ブース割り当て装置における処理フローを示すフローチャートである。この図２のフローチャートと図１のシステム構成図を用いて視聴覚ブース割り当て装置１における動作を説明する。
視聴覚ブース最適配置装置３には、当日の１番目の視聴覚ブース４ａの割り当てブース開始番号（割り当て開始位置）が管理者の設定により予め登録される。また、視聴覚ブース最適配置装置３には、割り当てブース開始番号の１番目の視聴覚ブース４ａから順次、利用者に視聴覚ブースを割り当てる際に、いくつかの視聴覚ブースを飛ばして視聴覚ブースを割り当てるための飛ばし個数（例えばｎ＝１）が管理者の設定により予め設定される。
【００１８】
視聴覚ブース最適配置装置３は、１人目の利用者の視聴覚ブースの割り当て要求が管理者から要求されると、当日の割り当て開始ブース番号Ｘ＝α＝１、カウンタＹ＝１とし（ステップＳ１）、１人目の利用者には１番目の視聴覚ブース４ａを割り当て（ステップＳ２）、その割り当て結果を視聴覚ブース割り当て指示装置２に送る。視聴覚ブース割り当て指示装置２は、その割り当て結果を音声／表示などにより出力して、管理者に報知する。
【００１９】
次に、視聴覚ブース最適配置装置３は、２人目の利用者の視聴覚ブースの割り当て要求が管理者から要求されると、設定された視聴覚ブースの飛ばし個数ｎ＝１を基に、割り当てブース番号Ｘ＝１＋１＋１＝３、カウンタＹ＝１＋１＝２とし（ステップＳ３）、ブース番号Ｘ−最終ブース番号ｍａｘ（ブース番号）＝３−７＞０かを判定して、３−７＞０でないと判定し（ステップＳ４）、２人目の利用者には３番目の視聴覚ブース４ｃを割り当て（ステップＳ２）、その割り当て結果を視聴覚ブース割り当て指示装置２に送る。視聴覚ブース割り当て指示装置２は、その割り当て結果を音声／表示などにより出力して、管理者に報知する。
【００２０】
次に、視聴覚ブース最適配置装置３は、３人目の利用者の視聴覚ブースの割り当て要求が管理者から要求されると、設定された視聴覚ブースの飛ばし個数ｎ＝１を基に、割り当てブース番号Ｘ＝３＋１＋１＝５、カウンタＹ＝２＋１＝３とし（ステップＳ３）、ブース番号Ｘ−最終ブース番号ｍａｘ（ブース番号）＝５−７＞０かを判定して、５−７＞０でないと判定し（ステップＳ４）、３人目の利用者には５番目の視聴覚ブース４ｅを割り当て（ステップＳ２）、その割り当て結果を視聴覚ブース割り当て指示装置２に送る。視聴覚ブース割り当て指示装置２は、その割り当て結果を音声／表示などにより出力して、管理者に報知する。
【００２１】
次に、視聴覚ブース最適配置装置３は、４人目の利用者の視聴覚ブースの割り当て要求が管理者から要求されると、設定された視聴覚ブースの飛ばし個数ｎ＝１を基に、割り当てブース番号Ｘ＝５＋１＋１＝７、カウンタＹ＝３＋１＝４とし（ステップＳ３）、ブース番号Ｘ−最終ブース番号ｍａｘ（ブース番号）＝７−７＞０かを判定して、７−７＞０でないと判定し（ステップＳ４）、４人目の利用者には７番目の視聴覚ブース４ｇを割り当て（ステップＳ２）、その割り当て結果を視聴覚ブース割り当て指示装置２に送る。視聴覚ブース割り当て指示装置２は、その割り当て結果を音声／表示などにより出力して、管理者に報知する。
【００２２】
次に、視聴覚ブース最適配置装置３は、５人目の利用者の視聴覚ブースの割り当て要求が管理者から要求されると、設定された視聴覚ブースの飛ばし個数ｎ＝１を基に、割り当てブース番号Ｘ＝７＋１＋１＝９、カウンタＹ＝４＋１＝５とし（ステップＳ３）、ブース番号Ｘ−最終ブース番号ｍａｘ（ブース番号）＝９−７＞０かを判定して、９−７＞０であると判定し（ステップＳ４）、ブース番号Ｘ−最終ブース番号ｍａｘ（ブース番号）＝９−７＝２とする（ステップＳ５）。次いで、視聴覚ブース最適配置装置３は、５人目の利用者には２番目の視聴覚ブース４ｂを割り当て（ステップＳ２）、その割り当て結果を視聴覚ブース割り当て指示装置２に送る。視聴覚ブース割り当て指示装置２は、その割り当て結果を音声／表示などにより出力して、管理者に報知する。
【００２３】
なお、最終に割り当てられた当日の視聴覚ブース４ｂのブース番号Ｘ＝２は、視聴覚ブース最適配置装置３に登録される。視聴覚ブース最適配置装置３には、当日から日にちが替わって、例えば翌日になった場合、登録しておいた最終割り当て番号の視聴覚ブース４ｂから、設定された飛ばし個数分（ｎ＝１）飛ばした視聴覚ブース４ｄのブース番号Ｘ＝４を、その日にちが替わった当日の割り当て開始ブース番号として登録される。以下、日にちが替わった場合も上記と同様に、視聴覚ブース４ｄのブース番号Ｘ＝４を、その日にちが替わった当日の割り当て開始ブース番号として、視聴覚ブースを１個分ずつ飛ばして順次、視聴覚ブースが利用者に割り当てられる。
【００２４】
このように、本実施の形態では、当日の視聴覚ブースの割り当て開始ブース番号を登録しておくとともに、割り当て開始ブース番号の視聴覚ブースから順次、視聴覚ブースを割り当てる際に、いくつかの視聴覚ブースを飛ばして視聴覚ブースを割り当てるための飛ばし個数を設定しておき、利用者の視聴覚ブースの割り当て要求があった場合、当日の視聴覚ブースの割り当て開始位置の視聴覚ブースから順次、視聴覚ブースを割り当てる際、設定された視聴覚ブースの飛ばし個数に基づいてその飛ばし個数分飛ばして視聴覚ブースを割り当て、この割り当てられた視聴覚ブースの位置を報知するように視聴覚ブース割り当て装置１を構成したため、利用者から視聴覚ブースの割り当て要求があると、自動的にどの視聴覚ブースに割り当てるべきかを管理者は認識することができる。
【００２５】
また、設定された視聴覚ブースの飛ばし個数に基づいてその飛ばし個数分飛ばして視聴覚ブースを割り当てるので、従来の１個ずつ順次割り当てる場合よりも、各利用者が気にならないように離間させて視聴覚ブースを割り当てることができる。しかも、設定された視聴覚ブースの飛ばし個数に基づいてその飛ばし個数分飛ばして視聴覚ブースを割り当てるので、全体の視聴覚ブース４ａ〜４ｂに渡って均等に割り振られていくので、特定の視聴覚ブースの機器疲労を低減して装置全体の信頼性を向上させることができる。
【００２６】
また、各視聴覚ブース４ａ〜４ｂの利用時間（機器の動作時間）がばらついているような場合でも、視聴覚ブースの飛ばし個数を適宜変化させて、利用時間の長い機器劣化の激しい視聴覚ブースを適宜飛ばすことができるので、動作時間による機器劣化が生じるような場合にも対応することができる。
【００２７】
また、本実施の形態では、当日の最終に割り当てられた視聴覚ブースの割り当てブース番号を登録しておき、当日から日にちが替わって翌日になった場合、最終割り当てブース番号の視聴覚ブース４ｂから、設定された飛ばし個数分飛ばした視聴覚ブース４ｄをその日にちが替わった当日の割り当て開始ブース番号として登録するように視聴覚ブース割り当て装置１を構成したため、日にちが替わっても、上記と同様、利用者から視聴覚ブースの割り当て要求があると、自動的にどの視聴覚ブースに割り当てるべきかを管理者は認識することができ、上記と同様の効果を得ることができる。
【００２８】
【発明の効果】
本発明によれば、割り当て開始位置登録手段により、当日の視聴覚ブースの割り当て開始位置を登録しておき、飛ばし個数設定手段により、割り当て開始位置の視聴覚ブースから順次、視聴覚ブースを割り当てる際に、いくつかの視聴覚ブースを飛ばして視聴覚ブースを割り当てるための飛ばし個数を設定しておき、視聴覚ブース割り当て手段により、利用者の視聴覚ブースの割り当て要求があった場合、当日の視聴覚ブースの割り当て開始位置の視聴覚ブースから順次、視聴覚ブースを割り当てる際、設定された視聴覚ブースの飛ばし個数に基づいてその飛ばし個数分飛ばして視聴覚ブースを割り当て、視聴覚ブース位置報知手段により、割り当てられた視聴覚ブースの位置を報知するように構成することにより、利用者から視聴覚ブースの割り当て要求があると、自動的にどの視聴覚ブースに割り当てるべきかを管理者は認識することができる。
【００２９】
また、設定された視聴覚ブースの飛ばし個数に基づいてその飛ばし個数分飛ばして視聴覚ブースを割り当てるので、従来の１個ずつ順次割り当てる場合よりも、各利用者が気にならないように離間させて視聴覚ブースを割り当てることができる。しかも、設定された視聴覚ブースの飛ばし個数に基づいてその飛ばし個数分飛ばして視聴覚ブースを割り当てるので、全体の視聴覚ブースに渡って均等に割り振られていくので、特定の視聴覚ブースの機器疲労を低減して装置全体の信頼性を向上させることができる。
【００３０】
また、視聴覚ブースの利用時間（機器の動作時間）がばらついているような場合でも、視聴覚ブースの飛ばし個数を適宜変化させて、利用時間の長い機器劣化の激しい視聴覚ブースを適宜飛ばすことができるので、動作時間による機器劣化が生じるような場合にも対応することができる。
【００３１】
また、視聴覚ブース割り当て装置においては、最終割り当て位置登録手段により、当日の最終に割り当てられた視聴覚ブースの割り当て位置を登録しておき、割り当て開始位置登録手段により、当日から日にちが替わった場合、最終割り当て位置の視聴覚ブースから、設定された飛ばし個数分飛ばした視聴覚ブースをその日にちが替わった当日の割り当て開始位置として登録するように構成することにより、日にちが替わっても、上記と同様、利用者から視聴覚ブースの割り当て要求があると、自動的にどの視聴覚ブースに割り当てるべきかを管理者は認識することができ、上記と同様の効果を得ることができる。
【図面の簡単な説明】
【図１】  本発明に係る実施の形態１の視聴覚ブース割り当て装置と視聴覚ブースを組み合わせたシステム構成を示すブロック図である。
【図２】  図１に示す視聴覚ブース割り当て装置における処理フローを示すフローチャートである。
【図３】  従来例の視聴覚ブースの割り当て方法を説明する図である。
【符号の説明】
１  視聴覚ブース割り当て装置、２  視聴覚ブース割り当て指示装置、３  視聴覚ブース最適配置装置、４ａ〜４ｇ  視聴覚ブース、５ａ〜５ｇ  ＶＴＲ装置。
【図１】
0003743244.tif 000002
【図２】
0003743244.tif 000003
【図３】
0003743244.tif 000004